(57)【要約】  【課題】  ダミーバナーを用いることなく、広告バナーの広告効果を把握することのできる分析装置を提供する。  【解決手段】  分析装置１は、広告バナーが設けられた広告ウェブサイトをユーザ端末で閲覧したときに広告バナーがユーザ端末の画面に表示されたか否かを示す情報と、広告バナーの広告対象である対象ウェブサイトをユーザ端末で閲覧したか否かを示す情報とを含むログデータを取得するログデータ取得部と、ログデータを分析することにより、広告ウェブサイトで広告バナーが表示されて対象ウェブサイトを閲覧した度合いと、広告ウェブサイトで広告バナーが表示されずに対象ウェブサイトを閲覧した度合いとに基づいて、広告ウェブサイトで広告バナーが表示されたことによる広告効果を示すリフト係数を算出する係数算出部と、を備える。【選択図】  図１
2019133482.tif 000002
【特許請求の範囲】
【請求項１】
広告バナーが設けられた広告ウェブサイトをユーザ端末で閲覧したときに前記広告バナーが前記ユーザ端末の画面に表示されたか否かを示す情報と、前記広告バナーの広告対象である対象ウェブサイトを前記ユーザ端末で閲覧したか否かを示す情報とを含むログデータを取得するログデータ取得部と、
前記ログデータを分析することにより、前記広告ウェブサイトで前記広告バナーが表示されて前記対象ウェブサイトを閲覧した度合いと、前記広告ウェブサイトで前記広告バナーが表示されずに前記対象ウェブサイトを閲覧した度合いとに基づいて、前記広告ウェブサイトで前記広告バナーが表示されたことによる広告効果を示すリフト係数を算出する係数算出部と、
を備えることを特徴とする分析装置。
【請求項２】
前記ログデータを分析することにより、前記対象ウェブサイトを閲覧するまでに前記広告ウェブサイトをいくつ閲覧したかを示すサイト数を算出し、前記サイト数に基づいて前記広告ウェブサイトの一つあたりの広告貢献度を示すスコアを算出し、前記スコアを前記広告ウェブサイトのリフト係数を用いて補正することにより前記広告ウェブサイトの広告貢献度を示す真のスコアを算出するスコア算出部を備える、請求項１に記載の分析装置。
【請求項３】
分析装置で実行される分析方法であって、
広告バナーが設けられた広告ウェブサイトをユーザ端末で閲覧したときに前記広告バナーが前記ユーザ端末の画面に表示されたか否かを示す情報と、前記広告バナーの広告対象である対象ウェブサイトを前記ユーザ端末で閲覧したか否かを示す情報とを含むログデータを取得し、
前記ログデータを分析することにより、前記広告ウェブサイトで前記広告バナーが表示されて前記対象ウェブサイトを閲覧した度合いと、前記広告ウェブサイトで前記広告バナーが表示されずに前記対象ウェブサイトを閲覧した度合いとに基づいて、前記広告ウェブサイトで前記広告バナーが表示されたことによる広告効果を示すリフト係数を算出することを特徴とする分析方法。
【請求項４】
前記ログデータを分析することにより、前記対象ウェブサイトを閲覧するまでに前記広告ウェブサイトをいくつ閲覧したかを示すサイト数を算出し、前記サイト数に基づいて前記広告ウェブサイトの一つあたりの広告貢献度を示すスコアを算出し、前記スコアを前記広告ウェブサイトのリフト係数を用いて補正することにより前記広告ウェブサイトの広告貢献度を示す真のスコアを算出する、請求項３に記載の分析方法。
【請求項５】
分析装置で実行される分析プログラムであって、
前記プログラムは、前記分析装置に、
広告バナーが設けられた広告ウェブサイトをユーザ端末で閲覧したときに前記広告バナーが前記ユーザ端末の画面に表示されたか否かを示す情報と、前記広告バナーの広告対象である対象ウェブサイトを前記ユーザ端末で閲覧したか否かを示す情報とを含むログデータを取得する処理と、
前記ログデータを分析することにより、前記広告ウェブサイトで前記広告バナーが表示されて前記対象ウェブサイトを閲覧した度合いと、前記広告ウェブサイトで前記広告バナーが表示されずに前記対象ウェブサイトを閲覧した度合いとに基づいて、前記広告ウェブサイトで前記広告バナーが表示されたことによる広告効果を示すリフト係数を算出する処理と、
を実行させることを特徴とする分析プログラム。
【請求項６】
前記プログラムは、前記分析装置に、
前記ログデータを分析することにより、前記対象ウェブサイトを閲覧するまでに前記広告ウェブサイトをいくつ閲覧したかを示すサイト数を算出し、前記サイト数に基づいて前記広告ウェブサイトの一つあたりの広告貢献度を示すスコアを算出し、前記スコアを前記広告ウェブサイトのリフト係数を用いて補正することにより前記広告ウェブサイトの広告貢献度を示す真のスコアを算出する処理を実行させる、請求項５に記載の分析プログラム。
【発明の詳細な説明】
【技術分野】
【０００１】
本発明は、ウェブサイトに設けられたバナーの広告効果を分析する分析装置に関する。
【背景技術】
【０００２】
従来から、インターネットのウェブサイト上では、様々なバナーが用いられている（例えば特許文献１、２参照）。例えば、ウェブサイトに設けられるバナーとして、ある広告主のウェブサイトへの来訪を促すためのバナー（広告バナー）が用いられている。広告バナーは、その広告バナーが設けられたウェブサイト（広告ウェブサイト）をユーザが閲覧したときにユーザ端末の画面上に表示され、それを見たユーザを広告主のウェブサイト（広告対象のウェブサイト）へ誘導する機能を備えている。
【先行技術文献】
【特許文献】
【０００３】
【特許文献１】特開２０１０−２７７２９７号公報
【特許文献２】特開２０１１−２４３１２５号公報
【発明の概要】
【発明が解決しようとする課題】
【０００４】
しかしながら、広告主のウェブサイトを閲覧したユーザの中には、広告ウェブサイトを閲覧したときにユーザ端末の画面上に表示された広告バナーを見ずに、広告主のウェブサイトに来訪したものも含まれる。したがって、広告ウェブサイトを閲覧したときにユーザ端末の画面上に広告バナーが表示されたユーザ数のみに基づいて、広告バナーの広告効果を把握することは困難であった。
【０００５】
そこで従来、広告バナーの広告効果を把握するための手法の一つとして、ダミーバナーが用いられていた。ダミーバナーは、広告主のウェブサイトへの来訪を促す広告バナーとは異なり、例えばチャリティー募金のお願いなどを内容とするものである。
【０００６】
ダミーバナーを用いて広告バナーの広告効果を算出する場合には、まず、ある広告ウェブサイトには広告バナーを設ける一方、他の広告ウェブサイトには広告バナーの代わりにダミーバナーを設けておく。そして、広告主のウェブサイトを閲覧したユーザのうち、広告ウェブサイトを閲覧したときにユーザ端末の画面上に広告バナーが表示されたユーザ数から、広告ウェブサイトを閲覧したときにユーザ端末の画面上にダミーが表示されたユーザ数を差し引くことにって、広告バナーの広告効果を算出する。
【０００７】
しかしながら、ダミーバナーを設けるためには、広告バナーを設けるのとは別途に費用が必要になるという問題がある。また、ダミーバナーは、そのバナーの内容（例えばチャリティー募金など）に関連するウェブサイトで表示されるように最適化されてしまうことがあり、その場合、広告バナーが表示されるウェブサイトとダミーバナーが表示されるウェブサイトとのターゲット層が異なる、すなわち、広告バナーとダミーバナーの配信対象が異なる結果になり、広告バナーの広告効果を正確に算出することができないおそれがある、という問題もあった。
【０００８】
本発明は、上記の課題に鑑みてなされたもので、ダミーバナーを用いることなく、広告バナーの広告効果を把握することのできる分析装置を提供することを目的とする。
【課題を解決するための手段】
【０００９】
本発明の分析装置は、広告バナーが設けられた広告ウェブサイトをユーザ端末で閲覧したときに前記広告バナーが前記ユーザ端末の画面に表示されたか否かを示す情報と、前記広告バナーの広告対象である対象ウェブサイトを前記ユーザ端末で閲覧したか否かを示す情報とを含むログデータを取得するログデータ取得部と、前記ログデータを分析することにより、前記広告ウェブサイトで前記広告バナーが表示されて前記対象ウェブサイトを閲覧した度合いと、前記広告ウェブサイトで前記広告バナーが表示されずに前記対象ウェブサイトを閲覧した度合いとに基づいて、前記広告ウェブサイトで前記広告バナーが表示されたことによる広告効果を示すリフト係数を算出する係数算出部と、を備えている。
【００１０】
この構成によれば、広告ウェブサイトで広告バナーが表示されて対象ウェブサイトを閲覧した度合いと、広告ウェブサイトで広告バナーが表示されずに対象ウェブサイトを閲覧した度合いとを利用することによって、広告ウェブサイトで広告バナーが表示されたことによる広告効果を示すリフト係数を求めることができる。これにより、ダミーバナーを用いることなく、広告バナーの広告効果を把握することができる。
【００１１】
また、本発明の分析装置は、前記ログデータを分析することにより、前記対象ウェブサイトを閲覧するまでに前記広告ウェブサイトをいくつ閲覧したかを示すサイト数を算出し、前記サイト数に基づいて前記広告ウェブサイトの一つあたりの広告貢献度を示すスコアを算出し、前記スコアを前記広告ウェブサイトのリフト係数を用いて補正することにより前記広告ウェブサイトの広告貢献度を示す真のスコアを算出するスコア算出部を備えてもよい。
【００１２】
この構成によれば、広告ウェブサイトのリフト係数を利用することによって、広告ウェブサイトの広告貢献度を示す真のスコアを求めることができる。これにより、広告ウェブサイトの広告貢献度を、より正確に把握することが可能になる。
【００１３】
本発明の分析方法は、分析装置で実行される分析方法であって、広告バナーが設けられた広告ウェブサイトをユーザ端末で閲覧したときに前記広告バナーが前記ユーザ端末の画面に表示されたか否かを示す情報と、前記広告バナーの広告対象である対象ウェブサイトを前記ユーザ端末で閲覧したか否かを示す情報とを含むログデータを取得し、前記ログデータを分析することにより、前記広告ウェブサイトで前記広告バナーが表示されて前記対象ウェブサイトを閲覧した度合いと、前記広告ウェブサイトで前記広告バナーが表示されずに前記対象ウェブサイトを閲覧した度合いとに基づいて、前記広告ウェブサイトで前記広告バナーが表示されたことによる広告効果を示すリフト係数を算出する。
【００１４】
この方法によっても、上記の装置と同様に、広告ウェブサイトで広告バナーが表示されて対象ウェブサイトを閲覧した度合いと、広告ウェブサイトで広告バナーが表示されずに対象ウェブサイトを閲覧した度合いとを利用することによって、広告ウェブサイトで広告バナーが表示されたことによる広告効果を示すリフト係数を求めることができる。これにより、ダミーバナーを用いることなく、広告バナーの広告効果を把握することができる。
【００１５】
また、本発明の分析方法では、前記ログデータを分析することにより、前記対象ウェブサイトを閲覧するまでに前記広告ウェブサイトをいくつ閲覧したかを示すサイト数を算出し、前記サイト数に基づいて前記広告ウェブサイトの一つあたりの広告貢献度を示すスコアを算出し、前記スコアを前記広告ウェブサイトのリフト係数を用いて補正することにより前記広告ウェブサイトの広告貢献度を示す真のスコアを算出してもよい。
【００１６】
これにより、広告ウェブサイトのリフト係数を利用することによって、広告ウェブサイトの広告貢献度を示す真のスコアを求めることができる。これにより、広告ウェブサイトの広告貢献度を、より正確に把握することが可能になる。
【００１７】
本発明の分析プログラムは、分析装置で実行される分析プログラムであって、前記プログラムは、前記分析装置に、広告バナーが設けられた広告ウェブサイトをユーザ端末で閲覧したときに前記広告バナーが前記ユーザ端末の画面に表示されたか否かを示す情報と、前記広告バナーの広告対象である対象ウェブサイトを前記ユーザ端末で閲覧したか否かを示す情報とを含むログデータを取得する処理と、前記ログデータを分析することにより、前記広告ウェブサイトで前記広告バナーが表示されて前記対象ウェブサイトを閲覧した度合いと、前記広告ウェブサイトで前記広告バナーが表示されずに前記対象ウェブサイトを閲覧した度合いとに基づいて、前記広告ウェブサイトで前記広告バナーが表示されたことによる広告効果を示すリフト係数を算出する処理と、を実行させる。
【００１８】
このプログラムによっても、上記の装置と同様に、広告ウェブサイトで広告バナーが表示されて対象ウェブサイトを閲覧した度合いと、広告ウェブサイトで広告バナーが表示されずに対象ウェブサイトを閲覧した度合いとを利用することによって、広告ウェブサイトで広告バナーが表示されたことによる広告効果を示すリフト係数を求めることができる。これにより、ダミーバナーを用いることなく、広告バナーの広告効果を把握することができる。
【００１９】
また、本発明の分析プログラムは、前記分析装置に、前記ログデータを分析することにより、前記対象ウェブサイトを閲覧するまでに前記広告ウェブサイトをいくつ閲覧したかを示すサイト数を算出し、前記サイト数に基づいて前記広告ウェブサイトの一つあたりの広告貢献度を示すスコアを算出し、前記スコアを前記広告ウェブサイトのリフト係数を用いて補正することにより前記広告ウェブサイトの広告貢献度を示す真のスコアを算出する処理を実行させてもよい。
【００２０】
これにより、広告ウェブサイトのリフト係数を利用することによって、広告ウェブサイトの広告貢献度を示す真のスコアを求めることができる。これにより、広告ウェブサイトの広告貢献度を、より正確に把握することが可能になる。
【発明の効果】
【００２１】
本発明によれば、ダミーバナーを用いることなく、広告バナーの広告効果を把握することができる。
【図面の簡単な説明】
【００２２】
【図１】本発明の実施の形態における分析装置が適用されるシステム全体の説明図である。
【図２】本発明の実施の形態における分析装置のブロック図である。
【図３】本発明の実施の形態におけるログデータの一例を示す図である。
【図４】本発明の実施の形態における広告バナーの表示／非表示の説明図である。
【図５】本発明の実施の形態における係数算出用データの一例を示す図である。
【図６】本発明の実施の形態におけるリフト係数の説明図である。
【図７】本発明の実施の形態におけるスコア算出用データの一例を示す図である。
【図８】本発明の実施の形態におけるユーザ端末の遷移パスとスコア算出の一例の説明図である。
【図９】本発明の実施の形態における各媒体の真のスコアの説明図である。
【図１０】本発明の実施の形態における分析装置の動作（リフト係数の算出）のフロー図である。
【図１１】本発明の実施の形態における分析装置の動作（スコアの算出）のフロー図である。
【発明を実施するための形態】
【００２３】
以下、本発明の実施の形態の分析装置について、図面を用いて説明する。本実施の形態では、ウェブサイトに設けられたバナーの広告効果の分析等に用いられる分析装置の場合を例示する。後述するように、この分析装置は、バナーの広告効果の分析機能を備えている。この機能は、分析装置のメモリ等に格納されたプログラムによって実現される。
【００２４】
本発明の実施の形態の分析装置の構成を、図面を参照して説明する。図１は、本実施の形態の分析装置が適用されるシステム全体の概要を示す説明図である。図１に示すように、分析装置１は、インターネット網などのネットワーク２に接続されており、ネットワーク２には、インターネット上の各ウェブサイトで様々な情報を提供するウェブサーバ３（サイトＡのウェブサーバＡ、サイトＢのウェブサーバＢ、サイトＣのウェブサーバＣ、・・・、サイトＸのウェブサーバＸ）と、ウェブサイトを閲覧するためのブラウザ機能を有するユーザ端末４が接続されている。ユーザ端末４は、例えば、スマートフォンやＰＣなどである。また、ネットワーク２には、ウェブサイトに設けられるバナーの表示を管理するバナー管理サーバ５が接続されている。バナー管理サーバ５は、例えば、第三者配信（３ＰＡＳ）サーバなどである。
【００２５】
図２は、本実施の形態の分析装置１の構成を示すブロック図である。図２に示すように、分析装置１は、バナー管理サーバ５からログデータを取得するログデータ取得部１０と、取得したログデータを記憶するログデータ記憶部１１と、ログデータを分析してバナー表示の広告効果を示すリフト係数を算出する係数算出部１２と、算出したリフト係数を記憶する係数記憶部１３と、ログデータを分析してウェブサイトの広告貢献度を示すスコアを算出するスコア算出部１４と、算出したスコアを記憶するスコア記憶部１５を備えている。
【００２６】
ログデータ取得部１０は、バナー管理サーバ５から様々なログデータする。ログデータには、ウェブサイトにアクセスしたユーザ端末４のＩＤ情報、そのユーザ端末４がウェブサイトにアクセスした日付情報、そのユーザ端末４がアクセスしたウェブサイトのサイト名（媒体名）情報、広告バナーが設けられたウェブサイト（広告ウェブサイト）をユーザ端末４で閲覧したときにその広告バナーがユーザ端末４の画面に表示されたか否かを示す表示フラグ情報、その広告バナーの広告対象であるウェブサイト（対象ウェブサイト）をユーザ端末４で閲覧したか否かを示す訪問フラグ情報が含まれる（図３参照）。
【００２７】
図４は、広告ウェブサイトでの広告バナーの表示／非表示の説明図である。図４では、ユーザ端末４の画面に表示される部分が破線で示されている。図４に示すように、例えば、ある広告ウェブサイト（サイトＡ）には、ウェブサイトのフレーム上部に広告バナー（バナーＡ）が配置されている。したがって、ユーザ端末４でサイトＡを閲覧したときに、ユーザ端末４の画面にバナーＡが表示される（表示フラグ：１）。一方、他のウェブサイト（サイトＢ）には、ウェブサイトのフレーム下部に広告バナー（バナーＢ）が配置されている。したがって、ユーザ端末４でサイトＢを閲覧したときに（ユーザが下方へのスクロール操作を行わないと）、ユーザ端末４の画面にバナーＢは表示されない（表示フラグ：０）。
【００２８】
係数算出部１２は、ログデータから係数算出用データを作成する（図５参照）。係数算出用データは、媒体ごと（広告ウェブサイトごと）に作成される。例えば、係数算出陽データには、図５に示すように、その広告ウェブサイト（例えば、媒体Ａ＝サイトＡ）を閲覧したユーザ端末４のＩＤ情報と、その広告ウェブサイトを閲覧したときに広告バナー（例えば、バナーＡ）が表示されたかを示す表示フラグ情報と、その広告ウェブサイトの広告バナーの広告対象である対象ウェブサイト（例えば、サイトＸ）をユーザ端末４で閲覧したか否かを示す訪問フラグ情報が含まれる。
【００２９】
係数算出部１２は、係数算出用データに基づいて、図６に示すように、広告ウェブサイト（媒体Ａ）で広告バナー（バナーＡ）が表示されて対象ウェブサイト（サイトＸ）を閲覧した度合い（例えば０．８６％）と、広告ウェブサイトで広告バナーが表示されずに対象ウェブサイトを閲覧した度合い（例えば０．３３％）を算出する。そして、係数算出部１２は、広告ウェブサイトで広告バナーが表示されて対象ウェブサイトを閲覧した度合い（例えば０．８６％）と、広告ウェブサイトで広告バナーが表示されずに対象ウェブサイトを閲覧した度合い（例えば０．３３％）とに基づいて、広告ウェブサイトで広告バナーが表示されたことによる広告効果を示すリフト係数（例えば６１．４％＝（０．５３／０．８６）×１００）を算出する。
【００３０】
スコア算出部１４は、ログデータからスコア算出用データを作成する（図７参照）。スコア算出用データは、広告対象である対象ウェブサイトが閲覧された媒体（訪問フラグ：１）について、媒体ごと（広告ウェブサイトごと）に作成される。例えば、スコア算出用データには、図７に示すように、その広告ウェブサイト（例えば、媒体Ａ＝サイトＡ）を閲覧したユーザ端末４のＩＤ情報と、対象ウェブサイトを閲覧するまでに広告ウェブサイトをいくつ閲覧したかを示すサイト数と、サイト数に基づいて算出される広告ウェブサイトの一つあたりの広告貢献度を示すスコア（補正前のスコア）と、スコアを広告ウェブサイトのリフト係数を用いて補正することにより算出される広告ウェブサイトの広告貢献度を示す真のスコア（補正後のスコア）が含まれる。
【００３１】
図８には、ユーザ端末４の遷移パスとスコアの一例が示される。図８の例では、あるユーザ（ユーザ端末ＩＤ：０００１）は、３つの広告ウェブサイト（媒体Ａと媒体Ｂと媒体Ｃ）を閲覧した後に、対象ウェブサイト（サイトＸ）を訪問している。この場合、対象ウェブサイトを訪問するまでに閲覧した広告ウェブサイトのサイト数は３であり、広告ウェブサイトの一つあたりの広告貢献度を示すスコア（補正前のスコア）は０．３３（＝１÷３）であると算出される。媒体Ａのリフト係数が６１．４％であれば、媒体Ａの広告貢献度を示す真のスコア（補正後のスコア）は０．１７５（＝０．３３×６１．４÷１００）であると算出される。また、媒体Ｂのリフト係数が８０．５％であれば、媒体Ｂの広告貢献度を示す真のスコア（補正後のスコア）は０．２６６（＝０．３３×８０．５÷１００）であると算出される。また、媒体Ｃのリフト係数が５１．１％であれば、媒体Ｃの広告貢献度を示す真のスコア（補正後のスコア）は０．１６９（＝０．３３×５１．１÷１００）であると算出される。
【００３２】
図７に戻って、スコア算出の説明を続ける。スコア算出部１４は、上述のようにして、あるユーザ（ユーザ端末ＩＤ：０００１）について、ある媒体（媒体Ａ）の補正後のスコアを算出する。同様にして、スコア算出部１４は、広告対象である対象ウェブサイトを閲覧したすべてのユーザ（ユーザ端末ＩＤ：０００２、０００４、・・・）について補正後のスコアを算出する。そして、その合計値（３０１．２）がその媒体（媒体Ａ）の広告貢献度を示す真のスコアとして算出される。
【００３３】
スコア算出部１４は、各媒体（媒体Ａ、媒体Ｂ、媒体Ｃ、媒体Ｄ、・・・）について真のスコアを算出する（図９参照）。図９に示すように、補正前のスコアでは、媒体Ｃが最も値が高い（広告貢献度が高い）ことになるが、リフト係数を考慮した補正後のスコアでは、媒体Ｄが最も値が高い（広告貢献度が高い）ことがわかる。
【００３４】
以上のように構成された分析装置１について、図１０および図１１のフロー図を参照してその動作を説明する。
【００３５】
本実施の形態の分析装置１を用いてリフト係数を算出する場合には、図１０に示すように、係数算出部１２が、ログデータ記憶部１１からログデータ（ログデータ取得部１０がバナー管理サーバ５から取得したログデータ）を取得し（Ｓ１０）、係数算出用データを作成する（Ｓ１１）。そして、係数算出部１２は、係数算出用データに基づいて、広告ウェブサイトで広告バナーが表示されて対象ウェブサイトを閲覧した度合い（例えば０．８６％）と、広告ウェブサイトで広告バナーが表示されずに対象ウェブサイトを閲覧した度合い（例えば０．３３％）を算出し、広告ウェブサイトで広告バナーが表示されたことによる広告効果を示すリフト係数（例えば６１．４％＝（０．５３／０．８６）×１００）を算出する（Ｓ１２）。算出したリフト係数は、係数記憶部１３に記憶される（Ｓ１３）。
【００３６】
また、本実施の形態の分析装置１を用いてスコアを算出する場合には、図１１に示すように、スコア算出部１４が、ログデータ記憶部１１からログデータ（ログデータ取得部１０がバナー管理サーバ５から取得したログデータ）を取得するとともに（Ｓ２０）、係数記憶部１３からリフト係数（係数算出部１２が算出したリフト係数）を取得し（Ｓ２１）、スコア算出用データを作成する（Ｓ２２）。そして、スコア算出部１４は、各広告ウェブサイト（各媒体）について、対象ウェブサイトを閲覧するまでに広告ウェブサイトをいくつ閲覧したかを示すサイト数を算出し、サイト数に基づいて広告ウェブサイトの一つあたりの広告貢献度を示すスコア（補正前のスコア）を算出し、そのスコアを広告ウェブサイトのリフト係数を用いて補正することにより広告ウェブサイトの広告貢献度を示す真のスコア（補正後のスコア）を算出する（Ｓ２３）。算出した真のスコアは、スコア記憶部１５に記憶される（Ｓ２４）。
【００３７】
このような本実施の形態の分析装置１によれば、広告ウェブサイトで広告バナーが表示されて対象ウェブサイトを閲覧した度合いと、広告ウェブサイトで広告バナーが表示されずに対象ウェブサイトを閲覧した度合いとを利用することによって、広告ウェブサイトで広告バナーが表示されたことによる広告効果を示すリフト係数を求めることができる。これにより、ダミーバナーを用いることなく、広告バナーの広告効果を把握することができる。
【００３８】
また、本実施の形態では、広告ウェブサイトのリフト係数を利用することによって、広告ウェブサイトの広告貢献度を示す真のスコアを求めることができる。これにより、広告ウェブサイトの広告貢献度を、より正確に把握することが可能になる。
【００３９】
以上、本発明の実施の形態を例示により説明したが、本発明の範囲はこれらに限定されるものではなく、請求項に記載された範囲内において目的に応じて変更・変形することが可能である。
【００４０】
例えば、上記の実施の形態では、１つの媒体（例えば媒体Ａ）に１つの広告バナー（例えば広告バナーＡ）が表示される例（いわゆる予約型広告の例）について説明したが、本発明の範囲はこれに限定されるものではない。本発明は、複数の媒体を束ねたアドネットワークに同一の広告バナーを表示する場合（例えば、広告メニュー経由で広告バナーが表示される場合）にも、同様に適用することができる。
【産業上の利用可能性】
【００４１】
以上のように、本発明にかかる分析装置は、ダミーバナーを用いることなく、広告バナーの広告効果を把握することができるという効果を有し、ウェブサイトに設けられたバナーの広告効果の分析等に用いられ、有用である。
【符号の説明】
【００４２】
１  分析装置
２  ネットワーク
３  ウェブサーバ
４  ユーザ端末
５  バナー管理サーバ
１０  ログデータ取得部
１１  ログデータ記憶部
１２  係数算出部
１３  係数記憶部
１４  スコア算出部
１５  スコア記憶部
【図１】
2019133482.tif 000003
【図２】
2019133482.tif 000004
【図３】
2019133482.tif 000005
【図４】
2019133482.tif 000006
【図５】
2019133482.tif 000007
【図６】
2019133482.tif 000008
【図７】
2019133482.tif 000009
【図８】
2019133482.tif 000010
【図９】
2019133482.tif 000011
【図１０】
2019133482.tif 000012
【図１１】
2019133482.tif 000013